(57)【特許請求の範囲】
【請求項１】
インサート成形によって開口部の底面に外側固定接点および中央固定接点が固定され、その外側固定接点よりも外方位置にあたる開口部端面が上記外側固定接点の上端と同一高さ或いは上記外側固定接点の上端の方が僅かに突出する高さで形成された成形樹脂製の箱形スイッチケースと、耐熱樹脂フィルム製で、上方に突出形成されたダイアフラム状絞り加工部を中央部に有すると共に、そのダイアフラム状絞り加工部の裏面に導電体層を備え、上記ダイアフラム状絞り加工部における下端部の上記導電体層部分が上記外側固定接点に常時当接状態になるように対応されて上記ダイアフラム状絞り加工部よりも外方位置にあたる外周部が上記箱形スイッチケースの上記開口部端面に固着されて配された可動接点板からなり、上記可動接点板の上記ダイアフラム状絞り加工部を押圧すると、上記ダイアフラム状絞り加工部の下端部の上記導電体層が上記外側固定接点にさらに押し付けられつつ上記ダイアフラム状絞り加工部が反転動作し、それにより上記中央固定接点に応じた箇所の上記導電体層が上記中央固定接点に当接することによって、上記外側固定接点に常接された上記導電体層を介して上記中央固定接点が上記外側固定接点と導通するプッシュオンスイッチ。
【発明の詳細な説明】
【０００１】
【発明の属する技術分野】
本発明は各種電子機器の操作ボタンに使用されるプッシュオンスイッチに関するものである。
【０００２】
【従来の技術】
近年、電子機器の小形・高性能化に伴って、使用されるプッシュオンスイッチ等の電子部品においても、小形・薄形・軽量でかつ好フィーリングなものに対する要望が高まっている。
【０００３】
従来の薄形のプッシュオンスイッチを図１２の断面図により説明する。
同図において、１は成形樹脂製の箱形スイッチケースで、その底面には接続端子２と連結した外側固定接点３Ａ，３Ｂおよび接続端子４と連結した中央固定接点５がインサート成形により固定され、外側固定接点３Ａ，３Ｂ上には弾性金属薄板製のダイアフラム状可動接点６の外周下端が載せられてスイッチ接点を構成している。
【０００４】
また、箱形スイッチケース１の開口部端面１Ａには、耐熱樹脂フィルム製のシール板７が接着剤８によりその外周部を接着され、下面が上記ダイアフラム状可動接点６の中央頂点部に接する状態で固定されている。
【０００５】
そして、このプッシュオンスイッチの動作は、使用機器の操作ボタンでシール板７の中央を押して下方に撓め、ダイアフラム状可動接点６の中央部を下方に押し込むことによってダイアフラム状可動接点６が節度感を伴って反転し、その中央部裏面が中央固定接点５に当たり、外側固定接点３Ａ，３Ｂと中央固定接点５との間、すなわち接続端子２と同４の間が導通されるものであり、この後、シール板７の中央部を押す力を除くと、ダイアフラム状可動接点６およびシール板７の弾性復元力によって元の図１２の状態に復帰し、接続端子２と同４の間は再びオープン状態となるように構成されたものである。
【０００６】
【発明が解決しようとする課題】
しかしながら上記従来の構成のプッシュオンスイッチでは、ダイアフラム状可動接点６の上部を覆って、箱形スイッチケース１の開口部端面１Ａに接着されたシール板７のスイッチ動作時の撓みに対する抵抗力が接着状態によってバラツクため、シール板７の中央部を操作ボタンで押してダイアフラム状可動接点６を反転動作させる時の節度感が操作ボタン、すなわち操作する人の手に伝わる感触にバラツキを生じるという課題があった。
【０００７】
また、薄形構造のため、ダイアフラム状可動接点６を載せている外側固定接点３Ａ，３Ｂの上面から箱形スイッチケース１の開口部端面１Ａまでの寸法が小さいので、スイッチ組立て時に、箱形スイッチケース１内にダイアフラム状可動接点６を入れてからシール板７により開口部を塞ぐまでの間にダイアフラム状可動接点６が箱形スイッチケース１から飛び出してしまうことがあり、この現象は組立て作業の高速化に伴って起こり易くなるため、組立作業の効率面でも課題があった。
【０００８】
本発明はこのような従来の課題を解決しようとするものであり、薄形でありかつ操作フィーリングの安定した安価なプッシュオンスイッチを提供することを目的とするものである。
【０００９】
【課題を解決するための手段】
上記課題を解決するために、本発明のプッシュオンスイッチは、箱形スイッチケースの開口部端面に固着する耐熱樹脂フィルム製のシール板の中央部をダイアフラム状に上方へ絞り加工すると共に、その裏面に導電体層を設けて可動接点の機能を持たせたシール板と可動接点を一体化させた可動接点板を用いて構成するものとしたものである。
【００１０】
この本発明によれば、使用機器の操作ボタンを押してスイッチを動作させる場合に、操作ボタンが樹脂フィルム製の可動接点板のダイアフラム部を直接押して反転動作させることになるため、可動接点の反転動作時の節度感が直接操作ボタン、すなわち操作する人の手に伝わり、また、スイッチ構成部品が少なくなるために組立作業が容易になる。
【００１１】
【発明の実施の形態】
本発明の請求項１に記載の発明は、インサート成形によって開口部の底面に外側固定接点および中央固定接点が固定され、その外側固定接点よりも外方位置にあたる開口部端面が上記外側固定接点の上端と同一高さ或いは上記外側固定接点の上端の方が僅かに突出する高さで形成された成形樹脂製の箱形スイッチケースと、耐熱樹脂フィルム製で、上方に突出形成されたダイアフラム状絞り加工部を中央部に有すると共に、そのダイアフラム状絞り加工部の裏面に導電体層を備え、上記ダイアフラム状絞り加工部における下端部の上記導電体層部分が上記外側固定接点に常時当接状態になるように対応されて上記ダイアフラム状絞り加工部よりも外方位置にあたる外周部が上記箱形スイッチケースの上記開口部端面に固着されて配された可動接点板からなり、上記可動接点板の上記ダイアフラム状絞り加工部を押圧すると、上記ダイアフラム状絞り加工部の下端部の上記導電体層が上記外側固定接点にさらに押し付けられつつ上記ダイアフラム状絞り加工部が反転動作し、それにより上記中央固定接点に応じた箇所の上記導電体層が上記中央固定接点に当接することによって、上記外側固定接点に常接された上記導電体層を介して上記中央固定接点が上記外側固定接点と導通するプッシュオンスイッチとしたものであり、耐熱樹脂フィルム製の可動接点板のダイアフラム状絞り加工部を直接押して反転動作させるために良好な節度感が得られ、また構成部品が少なくてすむために組立が容易になるという作用を有する。
【００１７】
以下、本発明の実施の形態によるプッシュオンスイッチについて、図１〜図１１により説明する。
【００１８】
（実施の形態１）
図１は本発明の第一の実施の形態によるプッシュオンスイッチの構成を示す断面図であり、同図において、１１は従来の技術と同様の成形樹脂製の箱形スイッチケースで、その底面には接続端子１２と連結した外側固定接点１３Ａ，１３Ｂおよび接続端子１４と連結した中央固定接点１５がインサート成形により固定され、外側固定接点１３Ａ，１３Ｂの上面は箱形スイッチケース１１の開口部端面１１Ａと同一高さ、或は開口部端面１１Ａから僅かに突出するように設定され、中央固定接点１５は外側固定接点１３Ａ，１３Ｂよりも少し低く設定されている。
【００１９】
そして、上記箱形スイッチケース１１の開口部端面１１Ａには、対角二ヵ所のダボ１１Ｂにより位置決めされた耐熱樹脂フィルム製の可動接点板１６が接着固定されている。
【００２０】
この可動接点板１６は、図２（ａ）の正面図および同図（ｂ）の下面図に示すように、箱形スイッチケース１１と同じ外形の耐熱樹脂フィルムの外周部を除く裏面に導電体層１６Ａを印刷等により形成すると共に、中央部を上方へダイアフラム状に絞り加工してダイアフラム状絞り加工部１６Ｂを形成し、その外周部を接着剤１７により箱形スイッチケース１１の開口部端面１１Ａに接着固定するものであり、その外周部の対角二ヵ所の孔１６Ｃが箱形スイッチケース１１の開口部端面１１Ａの二ヵ所のダボ１１Ｂにより正確に位置決めされて、導電体層１６Ａを有するダイアフラム状絞り加工部１６Ｂの下端部１６Ｄが上記箱形スイッチケース１１の外側固定接点１３Ａ，１３Ｂの上面に常時接触するように配されている。
【００２１】
尚、上記可動接点板１６は、図３に示すように、長尺の耐熱樹脂フィルムシートに連続加工したものを連結した状態で本プッシュオンスイッチの組立ラインに供給し、箱形スイッチケース１１との組合せ時に個別に切断する方式にできるものである。
【００２２】
次に、このプッシュオンスイッチの動作は、図４の断面図に矢印で示すように、使用機器の操作ボタン１８で可動接点板１６の中央のダイアフラム状絞り加工部１６Ｂを下方に押すことによってダイアフラム状絞り加工部１６Ｂが節度感を伴って反転すると共に、その裏面の導電体層１６Ａが中央固定接点１５に当接することにより、外側固定接点１３Ａ，１３Ｂと中央固定接点１５の間、すなわち接続端子１２と同１４の間が導通される。
【００２３】
尚、可動接点板１６の中央のダイアフラム状絞り加工部１６Ｂが下方に押される時、その下端部１６Ｄが下方に沈もうとすることにより、この下端部１６Ｄ下面の導電体層１６Ａと外側固定接点１３Ａ，１３Ｂとの間の接触を安定させており、また、中央固定接点１５を外側固定接点１３Ａ，１３Ｂよりも少し低く設定していることにより、ダイアフラム状絞り加工部１６Ｂは確実に反転動作して良好な節度感を発するものである。
【００２４】
この後、操作ボタン１８を介して、可動接点板１６の中央のダイアフラム状絞り加工部１６Ｂに加えていた押し力を除くと、可動接点板１６のダイアフラム状絞り加工部１６Ｂの弾性復元力によって元の図１の状態に復帰し、接続端子１２と同１４の間は再びオープン状態となるものである。
【００２５】
（実施の形態２）
図５は本発明の第二の実施の形態によるプッシュオンスイッチの構成を示す断面図であり、同図において、１９は成形樹脂製の箱形スイッチケースで、その底面には接続端子１２と連結した外側固定接点１３Ａ，１３Ｂおよび接続端子１４と連結した中央固定接点１５がインサート成形により固定されていることは従来の技術と同様であるが、図６のスイッチケースの断面図に示すように、外側固定接点１３Ａ，１３Ｂの上面は箱形スイッチケース１９の開口部端面１９Ａと同一高さ、或は開口部端面１９Ａから僅かに突出するように設定され、中央固定接点１５は外側固定接点１３Ａ，１３Ｂよりも少し低く設定され、開口部端面１９Ａの外側には、薄肉の壁部１９Ｂが設けられ、その内側には対角四ヵ所の切り欠き１９Ｃにより位置決めされた耐熱樹脂フィルム製の可動接点板２０が、前記薄肉の壁部１９Ｂを中心側に倒してカシメることにより固定されている。
【００２６】
この可動接点板２０は、図７（ａ）の正面図および同図（ｂ）の下面図に示すように、箱形スイッチケース１９の上記薄肉の壁部１９Ｂの内周に沿った円形で対角四ヵ所の突起部２０Ａを有する外形の耐熱樹脂フィルムの裏面に導電体層２０Ｂを印刷等により形成すると共に、中央部を上方へダイアフラム状に絞り加工してダイアフラム状絞り加工部２０Ｃを形成したものであり、箱形スイッチケース１９の薄肉の壁部１９Ｂを中心側に倒してカシメることによりその開口部端面１９Ａに固定され、導電体層２０Ｂを有するダイアフラム状絞り加工部２０Ｃの下端部２０Ｄが上記箱形スイッチケース１９の外側固定接点１３Ａ，１３Ｂの上面に常時接触するように配設されている。
【００２７】
尚、上記可動接点板２０は、図８に示すように、長尺の耐熱樹脂フィルムシートに連続加工したものを連結した状態で本プッシュオンスイッチの組立ラインに供給し、箱形スイッチケース１９との組合せ時に個別に切断する方式にできることは上記実施の形態１と同じである。
【００２８】
そして、本実施の形態によるプッシュオンスイッチの動作は、上記実施の形態１によるものと同様であるので、その説明を省略する。
【００２９】
（実施の形態３）
図９は本発明の第三の実施の形態によるプッシュオンスイッチの構成を示す断面図であり、同図において、２１は成形樹脂製の箱形スイッチケースで、その底面には接続端子１２と連結した外側固定接点１３Ａ，１３Ｂおよび接続端子１４と連結した中央固定接点１５がインサート成形により固定され、外側固定接点１３Ａ，１３Ｂの上面は箱型スイッチケース２１の開口部端面２１Ａと同一高さ、或は開口部端面２１Ａから僅かに突出するように設定され、中央固定接点１５は外側固定接点１３Ａ，１３Ｂよりも少し低く設定されていることは従来の技術と同様であるが、その開口部端面２１Ａには、対角四ヵ所に設けられたダボ２１Ｂにより、耐熱樹脂フィルム製の可動接点板２２が位置決め固定されている。
【００３０】
この可動接点板２２は、図１０（ａ）の正面図および同図（ｂ）の下面図に示すように、箱形スイッチケース２１と同じ外形の耐熱樹脂フィルムの外周部を除く裏面に導電体層２２Ａを印刷等により形成すると共に、中央部を上方へダイアフラム状に絞り加工してダイアフラム状絞り加工部２２Ｂを形成したものであり、その外周部に設けられた孔２２Ｃを箱形スイッチケース２１の開口部端面２１Ａに設けられたダボ２１Ｂに通し可動接点板２２上面に突出したダボ２１Ｂの先端を潰しカシメすることにより、効率よく安定した固着ができるものであり、導電体層２２Ａを有するダイアフラム状絞り加工部２２Ｂの下端部２２Ｄが上記箱形スイッチケース２１の外側固定接点１３Ａ，１３Ｂの上面に常時接触するように配設されている。
【００３１】
尚、上記可動接点板２２も前記の実施の形態１および同２と同様に、図１１に示すように、長尺の耐熱樹脂フィルムシートに連続加工したものを連結した状態で本プッシュオンスイッチの組立ラインに供給し、箱形スイッチケース２１との組合せ時に個別に切断する方式にできることは勿論である。
【００３２】
そして、本実施の形態によるプッシュオンスイッチの動作も、上記実施の形態１および同２によるものと同様であるので、その説明を省略する。
【００３３】
【発明の効果】
このように本発明は、インサート成形によって開口部の底面に外側固定接点および中央固定接点が固定され、その外側固定接点よりも外方位置にあたる開口部端面が上記外側固定接点の上端と同一高さ或いは上記外側固定接点の上端の方が僅かに突出する高さで形成された成形樹脂製の箱形スイッチケースと、耐熱樹脂フィルム製で、上方に突出形成されたダイアフラム状絞り加工部を中央部に有すると共に、そのダイアフラム状絞り加工部の裏面に導電体層を備え、上記ダイアフラム状絞り加工部における下端部の上記導電体層部分が上記外側固定接点に常時当接状態になるように対応されて上記ダイアフラム状絞り加工部よりも外方位置にあたる外周部が上記箱形スイッチケースの上記開口部端面に固着されて配された可動接点板からなり、上記可動接点板の上記ダイアフラム状絞り加工部を押圧すると、上記ダイアフラム状絞り加工部の下端部の上記導電体層が上記外側固定接点にさらに押し付けられつつ上記ダイアフラム状絞り加工部が反転動作し、それにより上記中央固定接点に応じた箇所の上記導電体層が上記中央固定接点に当接することによって、上記外側固定接点に常接された上記導電体層を介して上記中央固定接点が上記外側固定接点と導通するプッシュオンスイッチとしたものである。そして、上記実施の形態より明らかなように、使用機器の操作ボタンを押してスイッチを動作させる場合に、操作ボタンが耐熱樹脂フィルム製の可動接点板のダイアフラム状絞り加工部を直接押して反転動作させるものであり、また、動作時に可動接点板の外周固着部のバラツキの影響を殆ど受けないので、耐熱樹脂フィルム製の可動接点板のダイアフラム状絞り加工部の加工状態を管理すれば、スイッチ操作感触のバラツキを抑えることができる。
【００３４】
更に、スイッチの構成部品が固定接点を有する成形樹脂製の箱形スイッチケースとシール板を兼ねた耐熱樹脂フィルム製の可動接点板の二点であるので、スイッチの組立作業が簡単で、自動組み立ても容易である。
【００３５】
従って、本発明は、薄形で操作フィーリングが安定した安価なプッシュオンスイッチを提供することができるものである。
【図面の簡単な説明】
【図１】本発明の第一の実施の形態によるプッシュオンスイッチの構成を示す断面図
【図２】（ａ）同要部である可動接点板の正面図
（ｂ）同下面図
【図３】同組立ラインへの供給状態を説明する可動接点板の斜視図
【図４】同プッシュ操作時の断面図
【図５】本発明の第二の実施の形態によるプッシュオンスイッチの構成を示す断面図
【図６】同要部であるスイッチケースの正面断面図
【図７】（ａ）同要部である可動接点板の正面図
（ｂ）同下面図
【図８】同組立ラインへの供給状態を説明する可動接点板の斜視図
【図９】本発明の第三の実施の形態によるプッシュオンスイッチの構成を示す断面図
【図１０】（ａ）同要部である可動接点板の正面図
（ｂ）同下面図
【図１１】同組立ラインへの供給状態を説明する可動接点板の斜視図
【図１２】従来のプッシュオンスイッチの構成を示す断面図
【符号の説明】
１１，１９，２１  箱形スイッチケース
１１Ａ，１９Ａ，２１Ａ  開口部端面
１１Ｂ，２１Ｂ  ダボ
１２，１４  接続端子
１３Ａ，１３Ｂ  外側固定接点
１５  中央固定接点
１６，２０，２２  可動接点板
１６Ａ，２０Ｂ，２２Ａ  導電体層
１６Ｂ，２０Ｃ，２２Ｂ  ダイアフラム状絞り加工部
１６Ｃ，２２Ｃ  孔
１６Ｄ，２０Ｄ，２２Ｄ  絞り加工下端部
１７  接着剤
１８  操作ボタン
１９Ｂ  薄肉の壁部
１９Ｃ  切り欠き
２０Ａ  突起部
【図１】
0003783289.tif 000002
【図２】
0003783289.tif 000003
【図３】
0003783289.tif 000004
【図４】
0003783289.tif 000005
【図５】
0003783289.tif 000006
【図６】
0003783289.tif 000007
【図７】
0003783289.tif 000008
【図８】
0003783289.tif 000009
【図９】
0003783289.tif 000010
【図１０】
0003783289.tif 000011
【図１１】
0003783289.tif 000012
【図１２】
0003783289.tif 000013